(57)【要約】【課題】２値の画像データを多値化した多値の画像データについて色変換を行う場合にも、ユーザを煩わせることなく効率よく所望の濃度に調整することのできる色調整装置、色調整方法、及びプログラムを提供する。【解決手段】色合わせの目標となる印刷機６と、その色を再現するプリンタ４とについての色合わせを行うコントローラ３に、複数の色票から構成される色票集画像の２値の色票集画像データを多値化し、色票集画像データを色変換テーブルに基づいて変換するとともに、色変換テーブルを補正する画像処理制御部３７と、多値化前の２値の色票集画像データの網情報を入力する入力部と、網情報に基づいて各色票の濃度分布の推定値を求める本体制御部３６と、を備え、画像処理制御部３７は、この濃度分布の推定値に基づいて、色変換テーブルの補正における補正強度及び補正範囲の少なくともいずれか一方を調整する。【選択図】図２
2010074354.tif 000002
【特許請求の範囲】
【請求項１】
色合わせの目標となる第１の画像出力装置と、その色を再現する第２の画像出力装置とについての色合わせを行う色調整装置であって、
複数の色票から構成される色票集画像の２値の色票集画像データを多値化する多値化手段と、
前記多値化手段による多値化前の２値の色票集画像データの網情報を入力する網情報入力手段と、
前記多値化された色票集画像データを色変換テーブルに基づいて変換する色変換手段と、
前記色変換テーブルを補正するテーブル補正手段と、
前記網情報入力手段により入力された網情報に基づいて各色票の濃度分布の推定値を求める濃度分布取得手段と、を備え、
前記テーブル補正手段は、前記濃度分布取得手段により取得された濃度分布の推定値に基づいて、前記色変換テーブルの補正における補正強度及び補正範囲の少なくともいずれか一方を調整するものであることを特徴とする色調整装置。
【請求項２】
前記網情報入力手段により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得手段を備え、
前記テーブル補正手段は、前記含有率取得手段により取得された含有率の推定値に基づいて、前記色変換テーブルの補正における補正強度及び補正範囲の少なくともいずれか一方を調整するものであることを特徴とする請求項１に記載の色調整装置。
【請求項３】
前記第２の画像出力装置は、前記第１の画像出力装置で作成される印刷物のプルーフを出力するものであることを特徴とする請求項１又は請求項２に記載の色調整装置。
【請求項４】
色合わせの目標となる第１の画像出力装置と、その色を再現する第２の画像出力装置とについての色合わせを行う色調整方法であって、
複数の色票から構成される色票集画像の２値の色票集画像データを多値化する多値化工程と、
前記多値化工程における多値化前の２値の色票集画像データの網情報を入力する網情報入力工程と、
前記多値化された色票集画像データを色変換テーブルに基づいて変換する色変換工程と、
前記色変換テーブルを補正するテーブル補正工程と、
前記網情報入力工程において入力された網情報に基づいて各色票の濃度分布の推定値を求める濃度分布取得工程と、を含み、
前記テーブル補正工程は、前記濃度分布取得工程において取得された濃度分布の推定値に基づいて、前記色変換テーブルの補正における補正強度及び補正範囲の少なくともいずれか一方を調整するものであることを特徴とする色調整方法。
【請求項５】
前記網情報入力工程により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得工程を備え、
前記テーブル補正工程は、前記含有率取得工程において取得された含有率の推定値に基づいて、前記色変換テーブルの補正における補正強度及び補正範囲の少なくともいずれか一方を調整するものであることを特徴とする請求項４に記載の色調整方法。
【請求項６】
色合わせの目標となる第１の画像出力装置と、その色を再現する第２の画像出力装置とについての色合わせを行うプログラムであって、
コンピュータに
複数の色票から構成される色票集画像の２値の色票集画像データを多値化する多値化機能と、
前記多値化機能による多値化前の２値の色票集画像データの網情報を入力する網情報入力機能と、
前記多値化された色票集画像データを色変換テーブルに基づいて変換する色変換機能と、
前記色変換テーブルを補正するテーブル補正機能と、
前記網情報入力機能により入力された網情報に基づいて各色票の濃度分布の推定値を求める濃度分布取得機能と、を実現させ、
前記テーブル補正機能は、前記濃度分布取得機能により取得された濃度分布の推定値に基づいて、前記色変換テーブルの補正における補正強度及び補正範囲の少なくともいずれか一方を調整するものであることを特徴とするプログラム。
【請求項７】
前記網情報入力機能により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得機能をさらにコンピュータに実現させるものであり、
前記テーブル補正機能は、前記含有率取得機能により取得された含有率の推定値に基づいて、前記色変換テーブルの補正における補正強度及び補正範囲の少なくともいずれか一方を調整するものであることを特徴とする請求項６に記載のプログラム。
【発明の詳細な説明】
【技術分野】
【０００１】
本発明は、色調整装置、色調整方法、及びプログラムに関するものである。
【背景技術】
【０００２】
近年、プリンタ、特に、インクジェットプリンタは、エンジンの高性能化に伴い、印刷機で制作される印刷物の確認用印刷物（以下「プルーフ」という。）の出力用途で用いられることが増えてきている。プリンタをプルーフ出力用途で用いる場合、実際に印刷物を作成するためのデータ自体の確認（例えば、文字化けがないか等）も行うことができるようにするため、ＣＴＰ（Computer To Plate）やＣＴＣ(Computer To Cylinder)用に網点化された２値の画像データ（例えば、１bitＴＩＦＦデータ）をそのままプリンタに入力することが多い。
【０００３】
その際、ＣＴＰやＣＴＣ用に作成された２値の画像データは高解像度であり、インクジェットプリンタは低解像度であるため、ＣＴＰやＣＴＣ用に作成された画像データをインクジェットプリンタ用に低解像度に画像変換を行う必要がある。また、通常、インクジェットプリンタでは、１画素に対して階調性を持たせ、それをインク射出量により再現している。このため、インクジェットプリンタで出力させるためには２値の画像データを多値の画像データに変換する必要がある。
そこで、従来、ＲＩＰ（Raster Image Processor）が書き出した高解像度の２値の画像データ（１bitＴＩＦＦデータ等）を、画像処理装置（コントローラ）において低解像度の多値の画像データに画像変換してインクジェットプリンタ用の画像データを生成する画像処理を行っている。
【０００４】
ところで、プリンタをプルーフ出力用途で用いる場合、実際に印刷機で印刷される画像の色と極力同じ色でプルーフを作成するために、プリンタの色再現特性を印刷機のそれと合わせる高精度の色合わせが必要となる。
このプリンタと印刷機との色合わせは、ＩＣＣ（International Color Consortium）プロファイル等を用いた色変換により行われることが一般的である。そして、このプロファイルは、例えば、色票集（チャート）を構成する各色票（パッチ）の色を測定して得られた測定値や、所定のテーブルに基づいて適宜補正される（例えば、特許文献１及び特許文献２参照）。
【０００５】
しかし、２値の画像データは面積階調で色を表現しており、多値の濃度階調で記述されたＩＣＣプロファイルを適用することは困難である。
そこで、デスクリーニングの技術を用いた処理が行われる。ここで、デスクリーニングとは、２値の面積階調の画像データを多値の濃度階調の画像データに変換する技術のことであり、例えば、マスク処理（ぼかし処理、周波数分析等）を施すことで、中間調を発生させ、多値の画像データを生成する技術である。２値の画像データにこのデスクリーニング処理を施すことにより、ＩＣＣプロファイルを用いた色変換が可能となる。
【特許文献１】特開２００２−３３５４１５号公報
【特許文献２】特開２００５−１９８０２５号公報
【発明の開示】
【発明が解決しようとする課題】
【０００６】
しかしながら、ＩＣＣプロファイルを用いた色変換をＲＩＰ前の多値の画像データに適用した場合には適切な結果が得られる場合でも、多値データからＲＩＰによって２値化（スクリーニング）し、さらにそれを多値化（デスクリーニング）した画像データにＩＣＣプロファイルを適用した場合には、適切な色変換を行うことができない場合がある。
【０００７】
例えば、図１３は、マゼンタ（Ｍ）の５０％を６０％に関連付けたＩＣＣプロファイルをＲＩＰ前の多値の画像データに適用して色変換処理を行った場合を示しており、処理前Ｍ５０％（図１３（ａ））であったものが、処理後には目標通りＭ６０％（図１３（ｂ））に変換されている。このようにＲＩＰ前であれば画像データ全体が５０％であるため、問題なく色変換を行うことができる。
これに対して、図１４は、マゼンタ（Ｍ）の５０％を６０％に関連付けたＩＣＣプロファイルをデスクリーニング後の画像データに適用して色変換処理を行った場合を示している。この場合、処理前Ｍ５０％（図１４（ａ））であったものについて、Ｍ５０％の領域だけをＭ６０％に変換しても画像データ全体としては６０％には及ばない（図１４（ｂ）においてはＭ５３％。なお、図１４における多値化はあくまでもイメージ図である）。
【０００８】
この点、前記特許文献１及び特許文献２に記載の技術等、従来の技術は、デスクリーニング後の画像データに適用して色変換処理を行った場合に生じるこのような問題を考慮して補正を行うものではなかった。
このため、色変換処理を行って色票集（チャート）をプリンタで出力し測色器で測色してＩＣＣプロファイルを作成するという工程を、所望の濃度に色変換されるまで何度も繰り返して、徐々に色を合わせ込んでいくという作業が必要であり、効率的な色変換処理を行うことができなかった。
【０００９】
同様のことは、一旦ＩＣＣプロファイルを作成した後に、グレイや人間の肌色等、ある特定の色だけを手動で調整したいという場合にも問題となり、ユーザの所望の濃度に色変換されるまで何度も調整を繰り返さなければならないとの問題があった。
【００１０】
また、ユーザの便宜及び処理の正確性等の観点から、色合わせの工程はできるだけユーザによる入力動作を排除して自動的に行われることが好ましい。
【００１１】
そこで、本発明は以上のような事情に鑑みてなされたものであり、２値の画像データを多値化した多値の画像データについて色変換を行う場合にも、ユーザを煩わせることなく効率よく所望の濃度に調整することのできる色調整装置、色調整方法、及びプログラムを提供することを目的とするものである。
【課題を解決するための手段】
【００１２】
上記課題を解決するため、請求項１に記載の発明は、
色合わせの目標となる第１の画像出力装置と、その色を再現する第２の画像出力装置とについての色合わせを行う色調整装置であって、
複数の色票から構成される色票集画像の２値の色票集画像データを多値化する多値化手段と、
前記多値化手段による多値化前の２値の色票集画像データの網情報を入力する網情報入力手段と、
前記多値化された色票集画像データを色変換テーブルに基づいて変換する色変換手段と、
前記色変換テーブルを補正するテーブル補正手段と、
前記網情報入力手段により入力された網情報に基づいて各色票の濃度分布の推定値を求める濃度分布取得手段と、を備え、
前記テーブル補正手段は、前記濃度分布取得手段により取得された濃度分布の推定値に基づいて、前記色変換テーブルの補正における補正強度及び補正範囲の少なくともいずれか一方を調整するものであることを特徴としている。
【００１３】
請求項２に記載の発明は、請求項１に記載の色調整装置において、
前記網情報入力手段により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得手段を備え、
前記テーブル補正手段は、前記含有率取得手段により取得された含有率の推定値に基づいて、前記色変換テーブルの補正における補正強度及び補正範囲の少なくともいずれか一方を調整するものであることを特徴としている。
【００１４】
請求項３に記載の発明は、請求項１又は請求項２に記載の色調整装置において、
前記第２の画像出力装置は、前記第１の画像出力装置で作成される印刷物のプルーフを出力するものであることを特徴としている。
【００１５】
請求項４に記載の発明は、
色合わせの目標となる第１の画像出力装置と、その色を再現する第２の画像出力装置とについての色合わせを行う色調整方法であって、
複数の色票から構成される色票集画像の２値の色票集画像データを多値化する多値化工程と、
前記多値化工程における多値化前の２値の色票集画像データの網情報を入力する網情報入力工程と、
前記多値化された色票集画像データを色変換テーブルに基づいて変換する色変換工程と、
前記色変換テーブルを補正するテーブル補正工程と、
前記網情報入力工程において入力された網情報に基づいて各色票の濃度分布の推定値を求める濃度分布取得工程と、を含み、
前記テーブル補正工程は、前記濃度分布取得工程において取得された濃度分布の推定値に基づいて、前記色変換テーブルの補正における補正強度及び補正範囲の少なくともいずれか一方を調整するものであることを特徴としている。
【００１６】
請求項５に記載の発明は、請求項４に記載の色調整方法において、
前記網情報入力工程により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得工程を備え、
前記テーブル補正工程は、前記含有率取得工程において取得された含有率の推定値に基づいて、前記色変換テーブルの補正における補正強度及び補正範囲の少なくともいずれか一方を調整するものであることを特徴としている。
【００１７】
請求項６に記載の発明は、
色合わせの目標となる第１の画像出力装置と、その色を再現する第２の画像出力装置とについての色合わせを行うプログラムであって、
コンピュータに
複数の色票から構成される色票集画像の２値の色票集画像データを多値化する多値化機能と、
前記多値化機能による多値化前の２値の色票集画像データの網情報を入力する網情報入力機能と、
前記多値化された色票集画像データを色変換テーブルに基づいて変換する色変換機能と、
前記色変換テーブルを補正するテーブル補正機能と、
前記網情報入力機能により入力された網情報に基づいて各色票の濃度分布の推定値を求める濃度分布取得機能と、を実現させ、
前記テーブル補正機能は、前記濃度分布取得機能により取得された濃度分布の推定値に基づいて、前記色変換テーブルの補正における補正強度及び補正範囲の少なくともいずれか一方を調整するものであることを特徴としている。
【００１８】
請求項７に記載の発明は、請求項６に記載のプログラムにおいて、
前記網情報入力機能により入力された前記２値の色票集画像データの網情報及び前記第２の画像出力装置の解像度情報から、前記各色票を構成する画素のうち当該色票の理論濃度である画素の含有率、又は当該色票の理論濃度である画素及び当該濃度近傍の画素の含有率の推定値を求める含有率取得機能をさらにコンピュータに実現させるものであり、
前記テーブル補正機能は、前記含有率取得機能により取得された含有率の推定値に基づいて、前記色変換テーブルの補正における補正強度及び補正範囲の少なくともいずれか一方を調整するものであることを特徴としている。
【発明の効果】
【００１９】
請求項１、請求項４及び請求項６に記載の発明によれば、各色票の濃度分布の推定値に基づいて補正強度を調整した上で色変換テーブルの補正を行う。このため、１ｂｉｔＴＩＦＦデータ等の２値の画像データを多値化した後の画像データに色変換テーブルを適用して色変換処理を行う場合でも、適切に色変換処理を行うことができ、少ないフィードバック処理で効率よく高精度の色調整を行うことができるとの効果を奏する。
【００２０】
また、網情報に基づいて各色票の濃度分布の推定値を求めるので、濃度分布を測定する場合と比べて、ユーザの入力の手間を省くことができ、また、入力の際の入力ミスにより誤った濃度分布が測定されるおそれを排除することができる。さらに、実際に濃度分布を測定する場合よりも画像解析の計算コストがかからず、簡易に目的を達成することができる。
【００２１】
請求項２、請求項５及び請求項７に記載の発明によれば、各色票の理論濃度である画素及び当該濃度近傍の画素の含有率の推定値に基づいて補正強度を調整した上で色変換テーブルの補正を行う。このため、１ｂｉｔＴＩＦＦデータ等の２値の画像データを多値化した後の画像データに色変換テーブルを適用して色変換処理を行う場合でも、適切に色変換処理を行うことができ、少ないフィードバック処理で効率よく、かつより高精度の色調整を行うことができるとの効果を奏する。
【００２２】
請求項３に記載の発明によれば、第１の画像出力装置の色再現特性と第２の画像出力装置の色再現特性とを合わせる高精度の色合わせを行うことが可能であるため、第２の画像出力装置を第１の画像出力装置のプルーフ出力用途で用いる場合でも、高品質のプルーフを作成することができるとの効果を奏する。
【発明を実施するための最良の形態】
【００２３】
以下、図１から図１０を参照しつつ、本発明を実施するための最良の形態について説明する。ただし、発明の範囲を図示例に限定するものではない。
図１は、本実施形態における色調整装置であるコントローラを含む印刷システムの構成例を概略的に示す図である。
【００２４】
図１に示すように、印刷システム１００は、画像編集装置１、ＲＩＰ（Raster Image Processor）２、色調整装置であるコントローラ３、プリンタ４、ＣＴＰ（Computer To Plate）セッター５及び印刷機６を備えて構成されている。画像編集装置１、ＲＩＰ２、コントローラ３、プリンタ４、及びＣＴＰセッター５は、ＬＡＮ（Local Area Network）やＷＡＮ（Wide Area Network）等の通信回線からなる図示しない通信ネットワークを介してデータ送受信可能に接続されている。なお、各装置の台数は、特に限定されない。
【００２５】
画像編集装置１は、ＤＴＰ（Desktop publishing）ソフトウエアを搭載し、画面上で画像のデザインや編集作業を行うためのコンピュータである。画像編集装置１で編集された画像データは、例えば、ＰＳ（ポストスクリプト（PostScript）：登録商標）データ、ＰＤＦ（Portable Document Format）データ等のページ記述言語形式の画像データ（ＰＤＬ（Page Description Language）データ）としてＲＩＰ２に出力（送信）される。
なお、本実施形態においては、画像編集装置１がＰＳデータをＲＩＰ２に出力する場合を例として説明する。
【００２６】
ＲＩＰ２は、画像編集装置１から入力（受信）されたＰＳデータを解釈し、このＰＳデータについて色変換処理、ラスター・イメージ変換処理（ラスタライズ処理）、スクリーニング（２値化（網点化））処理等の一連の画像処理を施して、１ｂｉｔＴＩＦＦデータ等の２値化（網点化）されたＣＭＹＫ（Cyan、Magenta、Yellow、Black）の２値画像データ（２階調の画像データ）を生成し、コントローラ３及びＣＴＰセッター５に出力するコンピュータである。なお、ＲＩＰ２から出力される２値画像データの解像度は、印刷機６に応じた解像度である。
【００２７】
なお、プリンタ４の色再現特性を印刷機の色再現特性と合わせる色合わせ処理（色調整処理）を行う際には、画像編集装置１からＲＩＰ２に複数の色票から構成される色票集画像についてのＰＳデータが送信され、ＲＩＰ２は、このＰＳデータに基づいて２値の色票集画像データを生成し、コントローラ３及びＣＴＰセッター５に出力するようになっている。
【００２８】
コントローラ３は、ＲＩＰ２から入力（受信）されたＣＭＹＫの網点化された２値画像データ（１ｂｉｔＴＩＦＦデータ等）について、デスクリーニング処理（後述）を施すとともに、プリンタ４で作成される印刷物の色再現特性を印刷機６で作成される印刷物の色再現特性に合わせるための色変換処理を施し、色調整を行う色調整装置として機能するコンピュータである。
コントローラ３は、後述するように、ＲＩＰ２から入力（受信）された網点化されたＣＭＹＫの２値画像データを多値画像データに変換して色変換処理を施し、色変換済みの画像データをプリンタ４に応じた階調数の画像データに変換してプリンタ４に出力（送信）する。
【００２９】
プリンタ４は、印刷機６において作成される印刷物のプルーフを作成するものであり、第１の画像出力装置（印刷機６）の色を再現する第２の画像出力装置である。プリンタ４は、コントローラ３から入力されたＣＭＹＫの２値画像データに基づいて、電子写真方式又はインクジェット方式により用紙に画像を印刷する。
【００３０】
ＣＴＰセッター５は、ＲＩＰ２から入力（受信）されたＣＭＹＫの２値画像データに基づいて印刷機６における印刷に使用する刷版を作成する装置である。
印刷機６は、ＣＴＰセッター５で作成された刷版を使用して印刷物を作成するものであり、色合わせの目標となる第１の画像出力装置である。
【００３１】
以下、図２から図９を参照しつつ、図１のコントローラ３について説明する。
図２は、図１のコントローラ３の要部機能構成及び色調整処理の流れの概略を示す説明図である。
【００３２】
図２に示すように、コントローラ３は、制御部３１、通信部３２、入力部３３、表示部３４、ＲＡＭ３８、記憶部４０を備えて構成されており、各部はバス３９を介して接続されている。
【００３３】
制御部３１は、例えば、ＣＰＵ（Central Processing Unit）等を備えて構成されており、本体制御部３６、画像処理制御部３７等を含んでいる。制御部３１は、後述する記憶部４０のプログラム記憶部４１に記憶されている各種プログラムを読み出してＲＡＭ３８の作業領域に展開し、展開されたプログラムに従って、後述する制御処理を実行し、入力された画像データに解像度変換処理、ぼかし処理、色変換処理、誤差拡散処理等の各種画像処理を施す。
【００３４】
通信部３２は、ＬＡＮアダプタ、モデム、ＴＡ（Terminal Adapter）等を備え、ＬＡＮ（Local Area Network）等の図示しない通信ネットワークに接続された各装置とデータの送受信を行うものである。なお、通信部３２は他の装置と各種データの送受信が可能なものであればよく、上記のような通信ネットワークを介して各装置と接続されるものに限定されない。
【００３５】
入力部３３は、例えばカーソルキー、数字入力キー、及び各種機能キー等を備えたキーボードと、マウス等のポインティングデバイスを備えて構成されており、キーボードに対するキー操作やマウス操作により入力された指示信号を制御部３１に出力するものである。
本実施形態において、入力部３３は、ユーザが複数の網情報（後述）の中から該当するものを選択する等の手法により、多値化前の２値の色票集画像データについての網情報を入力可能となっており、網情報入力手段として機能する。
【００３６】
表示部３４は、例えばＬＣＤ（Liquid Crystal Display）やＣＲＴ（Cathode Ray Tube）等のモニタにより構成され、制御部３１から入力される表示信号の指示に従って、各種データや入力画面等を表示するものである。
【００３７】
なお、前記表示部３４の画面上に、透明電極を格子状に配置した感圧式（抵抗膜圧式）のタッチパネル（図示せず）を形成し、画面に表示されるプレビュー画面と入力部３３とが一体に構成されるタッチスクリーンとし、網情報を入力する網情報入力手段として機能させてもよい。この場合、タッチパネルは、手指やタッチペン等で押下された力点のＸＹ座標を電圧値で検出し、検出された位置信号が操作信号として本体制御部３６に出力されるように構成される。
【００３８】
ＲＡＭ（Random Access Memory）３８は、制御部３１により実行制御される各種処理において、記憶部４０から読み出された各種プログラム、入力若しくは出力データ、及びパラメータ等を一時的に格納する一時記憶領域及びこれらを展開する作業領域を有している。
【００３９】
記憶部４０は、プログラム記憶部４１及びデータ記憶部４２を備えている。
プログラム記憶部４１は、ＨＤＤ（Hard Disc）や半導体の不揮発性メモリ等により構成されており、コントローラ３に対応するシステムプログラム、該システムプログラム上で実行可能な制御処理プログラム、色調整プログラム等の各種画像処理プログラム（解像度変換処理プログラム、ぼかし処理プログラム、色変換処理プログラム、誤差拡散処理プログラム）等の各種プログラムを記憶している。各種プログラムは、コンピュータ読み取り可能なプログラムコードの形態でプログラム記憶部４１に格納されており、制御部３１は、当該プログラムコードに従った動作を逐次実行する。
【００４０】
また、データ記憶部４２は、上記プログラムの実行に必要なデータ等を記憶しているものであり、例えばデータ記憶部４２には、各種パラメータを記憶するパラメータ記憶領域４３、各種プロファイルを記憶するプロファイル記憶領域４４等が設けられている。
【００４１】
本実施形態において、プロファイル記憶領域４４には、ターゲットプロファイル４５、プリンタプロファイル４６、及び色変換テーブルであるデバイスリンクプロファイル（ＤＬＰ）４７が格納されている。
【００４２】
一般的に、ＣＭＹＫの表色系は、入出力デバイスの色再現特性に依存している。例えば、同じＣＭＹＫの画像データをそのまま異なるプリンタや印刷機で再現した場合、プリンタや印刷機によって異なる色で再現される。しかし、プリンタ４は、印刷機６で作成する印刷物のプルーフを作成するものであるから、実際に印刷機６で印刷される画像の色と極力同じ色で印刷物を作成することが要求される。そこで、プリンタ４に出力する画像データには、プリンタ４の色再現特性を調整し、印刷機６の色再現特性に合わせるための色変換処理を行う必要がある。この色変換処理には、従来から、ＩＣＣ（International Color consortium）により定義されたプロファイル（ターゲットプロファイル、プリンタプロファイル、デバイスリンクプロファイル）が用いられている。
【００４３】
以下、プロファイル記憶領域４４に記憶されているターゲットプロファイル４５、プリンタプロファイル４６、デバイスリンクプロファイル４７について説明する。
【００４４】
ターゲットプロファイル４５は、色合わせの目標となるプロファイルであり、図３に示すように、入力ＣＭＹＫ値と、Ｌ＊ａ＊ｂ＊やＸＹＺ値などの入出力デバイスに依存しない共通色空間の色値との対応関係を記述したプロファイルである。ターゲットプロファイル４５は、印刷プロファイル、ソースプロファイルとも呼ばれ、例えば、ＣＭＹＫ色空間上の各ＣＭＹＫ値（Ｃ、Ｍ、Ｙ、Ｋ各色値の組み合わせ）と、以下の手順により得られたＬ＊ａ＊ｂ＊値やＸＹＺの値との対応関係を記述している。
すなわち、まず、ＣＭＹＫ色空間上の各ＣＭＹＫ値の色票（カラーパッチ）が配列された色票集（カラーチャート）の画像データをＣＴＰセッター５に出力し、ＣＴＰセッター５で当該色票集の刷版を作成する。次いで、作成された刷版を用いて印刷機６で色票集を印刷する。そして、印刷した色票集の各色票を測色器７で測色することにより、ＣＭＹＫ値と対応するＬ＊ａ＊ｂ＊値やＸＹＺ値を得る。
なお、測色器７で測色された測色結果は、例えばケーブル等を介した有線方式又は赤外線通信等の無線方式によりコントーラ３に送られるようになっている。
【００４５】
プリンタプロファイル４６は、図４に示すように、Ｌ＊ａ＊ｂ＊値又はＸＹＺ値などの共通色空間の色値と、プリンタ４におけるＣＭＹＫ値との対応関係を記述したプロファイルである。即ち、プリンタプロファイル４６は、共通色空間であるＬ＊ａ＊ｂ＊値又はＸＹＺ値で表現された色をプリンタ４おいて再現するためのＣＭＹＫ値を記述したものであり、デスティネーションプロファイル、または、単に、デバイスプロファイルとも呼ばれる。
Ｌ＊ａ＊ｂ＊値又はＸＹＺ値と対応するＣＭＹＫ値は、例えば、コントローラ３から送られた画像データに基づいてプリンタ４で色票集を印刷し、印刷した色票集の各色票を測色器７で測色することにより得られる。
なお、この場合にも測色器７で測色された測色結果は、コントーラ３に送られるようになっている。
【００４６】
一方、デバイスリンクプロファイル４７は、ターゲットプロファイル４５とプリンタプロファイル４６とを統合したプロファイルであり、図５に示すように、入力ＣＭＹＫ値と、プリンタ４におけるＣＭＹＫ値（出力ＣＭＹＫ値）との対応関係を記述したプロファイルである。
【００４７】
ＲＩＰ２から入力された画像データをターゲットプロファイル４５とプリンタプロファイル４６とを統合したデバイスリンクプロファイル４７を用いて色変換することにより、プリンタ４により作成される印刷物の色再現特性を印刷機６により作成される印刷物の色再現特性に合わせることが可能となる。なお、ターゲットプロファイル４５、プリンタプロファイル４６、デバイスリンクプロファイル４７は、プリンタ４や印刷機６の種類や台数に応じて一又は複数記憶されている。
【００４８】
なお、図３から図５に示すように、ターゲットプロファイル４５、プリンタプロファイル４６、及びデバイスリンクプロファイル４７は、中間調をもつ多階調で色の変換情報が記述されており、２値画像データのままでは適用できないため、色変換前に、プロファイルに応じて、予め２値画像データを、中間調をもつ多値画像データに変換しておく必要がある。
【００４９】
また、本実施形態において、パラメータ記憶領域４３には、例えば、網情報及びプリンタ４の解像度情報と、各色票を構成する画素のうち当該色票の理論濃度である画素（後述）及び当該濃度近傍の画素（後述）の含有率の推定値とを対応付けた含有率推定値ＬＵＴ（Look Up Table）が記憶されている。網情報とは、例えば線数、網形状、網角度等である。線数は、ＬＰＩ（line per inch）等で表されるものであり、網の細かさを表すものである。網形状は、スクエア（Square）形状やラウンド（Round）形状といった網自体の形状を現すものである。また、網角度とは、ＣＭＹＫそれぞれの打たれる角度を意味しており、例えば、Ｃ：１５度，Ｍ：４５度，Ｙ：０度，Ｋ：７５度というように表される。
【００５０】
また、パラメータ記憶領域４３には、色票を構成する画素に色票の理論濃度である画素（後述）及び当該濃度近傍の画素（後述）がどの程度含まれているかの含有率の推定値と色変換テーブルであるデバイスリンクプロファイル４７を補正する際の補正強度とが対応付けられた補正強度ＬＵＴ（図７参照）等が格納されている。
なお、補正強度についてはユーザ等が任意に設定できるようにしてもよいが、補正強度の正確な数値をどの程度とするかは画像処理のアルゴリズムやプリンタ４の特性等によって決定されるため、予め計算してＬＵＴ化しておくことが好ましい。
【００５１】
ここで、本実施形態における制御部３１を構成する各部の機能について説明する。
【００５２】
まず、本体制御部３６は、コントローラ３の各部を制御するものであり、例えば通信部３２を制御してプリンタ４に画像データを送信させたり、表示部３４を制御して各種画像や指示情報等を表示させるようになっている。
また、本体制御部３６は、入力部３３から網情報が入力されると、プリンタ４の解像度及び入力された網情報に基づいて対応する含有率推定値ＬＵＴを選択し、各色票を構成する画素のうち当該色票の理論濃度である画素（後述）及び当該濃度近傍の画素（後述）の含有率の推定値を求めるようになっており、含有率取得手段として機能する。
【００５３】
ここで、図６を参照しつつ、「画素」及び「色票の理論濃度」について説明する。なお、図６は、理論濃度がＭ（マゼンタ）５０％である色票の例を示したものである。
まず、「画素」とは色変換時の画像の最小単位であり、例えば、図６における各マスを意味する。
また、「色票の理論濃度」とは、当初のＰＳデータの時点において判断される当該色票の色値である。例えば、Ｍ５０％である色票は、当初のＰＳデータの時点において全てＭ５０％であり、このような色票の理論濃度はＭ５０％となる。したがって、この場合には、当該色票を構成する画素のうちＭ５０％の画素が「色票の理論濃度である画素」となり、図６の場合には、Ｍ５０％である８個の画素が「色票の理論濃度である画素」に該当する。なお、例えばＣＭＹＫがそれぞれ１０％、５０％、２０％、０％であるような混色の色票である場合には、ＣＭＹＫの全てを考慮して当該色票の理論濃度が判断される。したがって、この場合には、当該色票を構成する画素のうちＣ＝１０％，Ｍ＝５０％，Ｙ＝２０％，Ｋ＝０％の画素が「色票の理論濃度である画素」となる。
また、「色票の理論濃度近傍の画素」とは、「色票の理論濃度」の近傍の濃度である画素を意味する。どの程度までを近傍の濃度とするかは、予めデフォルトとして規定されていてもよいし、ユーザ等が任意に設定できるようにしてもよい。例えば「色票の理論濃度」±１０％以内を近傍の濃度とした場合、「色票の理論濃度」がＭ５０％であれば、Ｍ４０％以上Ｍ５０％未満とＭ５０％より高くＭ６０％以下である濃度の画素が「色票の理論濃度近傍の画素」となる。したがって、図６の場合には、Ｍ６０％である４つの画素が「色票の理論濃度近傍の画素」となる。
【００５４】
画像処理制御部３７は、ＲＩＰ２から送られる１ｂｉｔＴＩＦＦデータについて、デスクリーニング処理（解像度変換処理、ぼかし処理）、誤差拡散処理等の各種画像処理を施す。プルーフを作成する際には、ＲＩＰ２から送られた色票集画像の２値の色票集画像データ（１ｂｉｔＴＩＦＦデータ）を多値化する多値化手段として機能する。
すなわち、画像編集装置１からＲＩＰ２に送られたＰＳデータは、ＲＩＰ２においてスクリーニング処理（網点化）によって、０と１００で構成される２値の画像データ（１ｂｉｔＴＩＦＦデータ）に変換されてコントローラ３に送られる。コントローラ３の画像処理制御部３７では、この１ｂｉｔＴＩＦＦデータについてデスクリーニング処理を施すことによって、例えば解像度が２４００dpiの１ｂｉｔＴＩＦＦデータを、プリンタの解像度に合わせて７２０dpiや１４４０ｄｐｉに解像度変換する。そして、この解像度変換の際に、ぼかし処理が施されることにより、２値の画像データに中間濃度（中間調）が生成され、多値の画像データとなる。なお、ぼかし処理は、解像度変換により実現されるものだけでもよいが、さらに解像度変換以外でもぼかし処理を入れたり、ノイズを付加する等の処理を行ってもよい。
【００５５】
また、画像処理制御部３７は、プリンタ４により出力された色票集画像を測色器７で測色した測色結果に基づいて、プリンタ４の色再現特性を表すプリンタプロファイル４６を生成し、記憶部４０のプロファイル記憶領域４４に格納する。また、本体制御部３６は、このプリンタプロファイル４６と印刷機６の色再現特性を表すターゲットプロファイル４５とに基づいて、デバイスリンクプロファイル４７を生成し、記憶部４０のプロファイル記憶領域４４に格納する。
【００５６】
また、画像処理制御部３７は、多値化された色票集画像データについて色変換処理を行う色変換手段として機能する。画像処理制御部３７による色変換処理は、ＩＣＣにより定義されたプロファイルであるデバイスリンクプロファイル４７（色変換テーブル）に基づいて行われる。
【００５７】
また、画像処理制御部３７は、本体制御部３６により求められた含有率の推定値に基づいて、色変換テーブルであるデバイスリンクプロファイル４７を補正するテーブル補正手段として機能する。
【００５８】
ここで、画像処理制御部３７によるテーブル補正処理について詳細に説明する。
画像処理制御部３７は、パラメータ記憶領域４３に記憶されている補正強度ＬＵＴを参照し、色票を構成する画素に色票の理論濃度である画素及び当該濃度近傍の画素がどの程度含まれているかの含有率の推定値に応じてデバイスリンクプロファイル４７を補正する際の補正強度を決定する。そして、画像処理制御部３７は、決定した補正強度でデバイスリンクプロファイル４７について補正を行う。
【００５９】
本実施形態における補正強度ＬＵＴにおいては、例えば図７に示すように、色票の理論濃度である画素及び当該濃度近傍の画素の含有率が１００％であれば補正強度は１倍であり、３０％である場合には３倍であり、１０％の場合には１０倍とするように対応付けがなされている。
例えば、色票の理論濃度がＭ５０％である場合（図９（ａ））にこれをＭ６０％に調整したい場合、その調整量は＋１０％であるが、色票の理論濃度である画素及び当該濃度近傍の画素の含有率が３０％である場合には、補正強度ＬＵＴにおいて補正強度を３倍とするよう対応付けられているため、画像処理制御部３７は、調整量を３倍して、＋３０％とし、例えば図８に示すように、Ｍ５０％の画素についてはＭ８０％となるようにデバイスリンクプロファイル４７を補正する。これにより、図９（ｂ）に示すようにＭ５０％の画素がＭ８０％に色変換され、色票全体としての濃度が、ほぼＭ６０％に調整される。
【００６０】
なお、画像処理制御部３７は、デバイスリンクプロファイル４７を補正する際に、色票の理論濃度である画素のみでなく当該濃度近傍である一定の画素についても合わせて調整を行うようになっている。どの程度の範囲について補正を行うか（補正範囲）についてはデフォルトで規定されていてもよいし、ユーザ等が任意に設定できるようにしてもよい。本実施形態においては、図８に示すように、Ｍ５０％の他、Ｍ４０％とＭ４５％についても調整を行っているが、調整の範囲（補正範囲）はこれに限定されない。
【００６１】
次に、本実施形態における色調整方法について説明する。
図１０に、コントローラ３において実行される制御処理のフローを示す。なお、当該処理は、制御部３１と記憶部４０のプログラム記憶部４１に記憶されている制御プログラムとの協働によるソフトウエア処理により実現される。
なお、以下においては、理論濃度がＭ５０％である色票についてＭ６０％となるように色変換する場合を例として説明する。
また、本実施の形態においては、コントローラ３において、解像度変換処理、ぼかし処理、色変換処理、誤差拡散処理を行うこととして説明するが、その他の画像処理を施すこととしてもよい。
【００６２】
通信部３２を介してＲＩＰ２から２階調を表現する２値画像データ（１ｂｉｔＴＩＦＦの色票集画像データ）が入力されると（ステップＳ１）、画像処理制御部３７において、解像度変換処理等のデスクリーニング処理が行われる（ステップＳ２）。画像処理制御部３７は、デスクリーニング処理後の画像データを、以下の画像処理を施すデータとは別個のものとして記憶部４０に一時保存（退避）させる（ステップＳ３）。さらに、画像処理制御部３７はデスクリーニング処理後の画像データ（ステップ３で退避させたものとは別のデータ）について誤差拡散処理等の画像処理を施す（ステップＳ４）。画像処理後の画像データ（多値化された色票集画像データ）はプリンタ４に送られ、プリンタ４は、当該色票集画像データに基づき色票集画像を出力する（ステップＳ５）。
プリンタ４により出力された色票集画像について測色器７により測色が行われ（ステップＳ６）、測色結果がコントローラ３に送られる。画像処理制御部３７は、この測色結果に基づいて、プリンタ４の色再現特性を表すプリンタプロファイル４６を作成する（ステップＳ７）。
【００６３】
次に、入力部３３から網情報が入力されると、本体制御部３６は、網情報を取得し（ステップＳ８）、この網情報及びプリンタ４の解像度と対応付けられた含有率推定値ＬＵＴを適用することによって、各色票を構成する画素のうち色票の理論濃度である画素及び当該濃度近傍の画素がどの程度含まれているかの含有率の推定値を求める（ステップＳ９）。
【００６４】
次に、画像処理制御部３７は、色合わせの目標となるターゲットプロファイル４５と、補完後のプリンタプロファイル４６とを統合してデバイスリンクプロファイル４７を生成する（ステップＳ１１）。
【００６５】
画像処理制御部３７は、生成されたデバイスリンクプロファイル４７についてフィードバック処理が必要か否かを判断し（ステップＳ１１）、フィードバック処理が必要と判断したとき（ステップＳ１１：ＹＥＳ）は、フィードバック処理を実行する。すなわち、ステップＳ３で一時保存しておいたデスクリーニング処理後の画像データを記憶部４０から読み出して（ステップＳ１２）、再度色変換処理（デスクリーニング処理）を行い（ステップＳ１３）、誤差拡散処理を行う（ステップＳ１４）。これらの画像処理を施された画像データ（色票集画像データ）はプリンタ４に送られ、プリンタ４はこの色票集画像データに基づく色票集画像を出力する（ステップＳ１５）。プリンタ４から出力された色票集画像は測色器７によって測色され（ステップＳ１６）、測色結果がコントローラ３に送られる。
【００６６】
画像処理制御部３７は、この測色結果に基づいてプリンタプロファイル４６を生成し（ステップＳ１８）、さらに、補正強度ＬＵＴを適用して、色票の理論濃度である画素及び当該濃度近傍の画素の含有率の推定値に基づいてプリンタプロファイル４６の補正を行う（ステップＳ１８）。そして、画像処理制御部３７は、補正後のプリンタプロファイル４６とターゲットプロファイル４５とを統合してデバイスリンクプロファイル４７を生成する（ステップＳ１９）。
【００６７】
画像処理制御部３７は、ステップＳ１２からステップＳ１９の処理（フィードバック処理）が終了するごとに、さらにフィードバック処理が必要か否かを判断し（ステップＳ１１）、フィードバック処理が必要ないと判断されるまで処理が繰り返される。
なお、フィードバック処理が必要か否かの判断は、例えば、色合わせの目標となる値との誤差が一定の閾値を超えているか否か等の判断により行われる。どの程度の誤差範囲であればフィードバック処理を不要とするかの設定は、予めデフォルトとして規定されていてもよいし、ユーザ等が任意に設定できるようにしてもよい。
【００６８】
他方、ステップＳ１２においてフィードバック処理が不要であると判断したとき（ステップＳ１１：ＮＯ）は、画像処理制御部３７は、さらに、ユーザの好み等に応じた最終調整を行う旨の指示が入力されたか否かを判断し（ステップＳ２０）、例えば肌色について１０％濃度を濃くする等の最終調整を行う旨の指示が入力された場合（ステップＳ２０：ＹＥＳ）には、色票の理論濃度である画素及び当該濃度近傍の画素がどの程度含まれているかという含有率の推定値に基づいて、指示された濃度となるようにデバイスリンクプロファイル４７を補正する処理を行う（ステップＳ２１）。デバイスリンクプロファイル４７を補正すると、画像処理制御部３７は、さらに最終調整を行う旨の指示が入力されたか否かを判断し（ステップＳ２０）、指示が入力される限り、ステップＳ２１の処理を繰り返す。
他方、最終調整を行う旨の指示が入力されない場合（ステップＳ２０：ＮＯ）には、一連の色調整処理を終了する。
【００６９】
以上のように、本実施形態によれば、印刷機６のプルーフをプリンタ４で作成する際に、色票の理論濃度である画素及び当該濃度近傍の画素の含有率の推定値に基づいて補正強度を調整した上でデバイスリンクプロファイル４７の補正を行う。このため、１ｂｉｔＴＩＦＦデータをデスクリーニング処理により多値化した後の画像データにデバイスリンクプロファイル４７（ＩＣＣプロファイル）を適用して色変換処理を行う場合でも、適切に色変換処理を行うことができ、少ないフィードバック処理で効率よく色調整を行うことが可能である。
【００７０】
また、本実施形態では、網情報及びプリンタ４の解像度に基づいて各色票の濃度分布の推定値を求めるので、濃度分布を測定する場合と比べて、ユーザの入力の手間を省くことができ、また、入力の際の入力ミスにより誤った濃度分布が測定されるおそれを排除することができる。さらに、実際に濃度分布を測定する場合よりも画像解析の計算コストがかからず、簡易に目的を達成することができる。
【００７１】
なお、本実施形態においては、色票の理論濃度である画素及び当該濃度近傍の画素の含有率の推定値に基づいてデバイスリンクプロファイル４７の補正における補正強度の調整を行うようにしたが、補正量（補正強度や補正範囲）の調整手法はこれに限定されない。例えば、色票集画像における各色票の濃度分布の推定値に基づいてデバイスリンクプロファイル４７の補正における補正強度の調整を行うようにしてもよい。
この場合には、例えば記憶部４０に入力部３３から入力された網情報及びプリンタ４の解像度と色票集画像における各色票の濃度分布の推定値とを対応付けるＬＵＴを格納しておき、本体制御部３６は、このＬＵＴに基づいて各色票の濃度分布の推定値を求める濃度分布取得手段として機能する。
【００７２】
また、本実施形態においては、デバイスリンクプロファイル４７を補正する際の補正範囲がデフォルト等で規定されている場合を例としたが、補正範囲の規定の仕方はこれに限定されない。
例えば、色票を構成する画素に色票の理論濃度である画素及び当該濃度近傍の画素がどの程度含まれているかの含有率の推定値と色変換テーブルであるデバイスリンクプロファイル４７を補正する際の補正範囲とが対応付けられた補正範囲ＬＵＴを予めパラメータ記憶領域４３等に格納しておき、画像処理制御部３７が、この補正範囲ＬＵＴに基づいて補正範囲を決定するようにしてもよい。この場合、補正範囲ＬＵＴとしては、色票の理論濃度である画素及び当該濃度近傍の画素の含有率が低いほど補正範囲を広くするように対応付けられたものが用いられる。
【００７３】
また、本実施形態においては、デバイスリンクプロファイル４７を補正する際に、色票の理論濃度である画素及び当該濃度近傍の画素の含有率の推定値と補正強度とを対応付けたＬＵＴを用いる場合を例としたが、デバイスリンクプロファイル４７を補正する際に用いるＬＵＴはこれに限定されない。例えば、図１１に示すような補正強度と上記補正範囲とを組み合わせたＬＵＴを備え、補正強度と補正範囲とを組み合わせてデバイスリンクプロファイル４７の補正を行うようにしてもよい。
例えば、図１１のＬＵＴでは、色票の理論濃度である画素及び当該濃度近傍の画素の含有率が３０％である場合には、補正強度を３倍にし、補正範囲を±２０％の範囲とするとの対応付けが規定されている。そこで、画像処理制御部３７は、色票の理論濃度である画素及び当該濃度近傍の画素の含有率が３０％である場合には、例えば図１２に示すようにデバイスリンクプロファイル４７を補正する。
このように色票の理論濃度である画素及び当該濃度近傍の画素の含有率の推定値に応じて補正強度のみならず補正範囲をも組み合わせて調整することにより、より効率よく調整を行うことができる。
【００７４】
なお、補正強度は一定とし、補正範囲のみを調整することによりデバイスリンクプロファイル４７の補正を行ってもよい。
補正強度は１００％を超えることができないため、例えば、Ｍ９５％の場合にさらに５％プラスしたいとき等、１００％に近い部分では補正強度を調整することができず、適切な調整を行うことが困難な場合もある。このような場合、補正強度は５％としつつ、その補正範囲を広げることによって、より細かい調整を行うことが可能となる。
【００７５】
また、本実施形態においては、含有率推定値ＬＵＴとして、網情報及びプリンタ４の解像度情報と、各色票を構成する画素のうち当該色票の理論濃度である画素及び当該濃度近傍の画素の含有率の推定値とを対応付けたものを適用する場合を例として説明したが、含有率推定値ＬＵＴにおいて含有率の推定値と対応付けられる情報はこれに限定されない。例えば、他の網情報が対応付けられていてもよいし、上記網情報のうちの一部のみが対応付けられていてもよい。また、網情報又はプリンタ４の解像度情報のいずれかのみを含有率の推定値と対応付けてもよい。
なお、プリンタ４の解像度と網情報のうちの線数とは、各色票を構成する画素のうち当該色票の理論濃度である画素及び当該濃度近傍の画素の含有率の推定値に与える影響が大きいため、含有率推定値ＬＵＴにおいて含有率の推定値と対応付けられる情報には、これらの情報が含まれることが好ましい。
【００７６】
また、本実施形態においては、各色票を構成する画素のうち当該色票の理論濃度である画素及び当該濃度近傍の画素の含有率の推定値に基づいてデバイスリンクプロファイル４７（色変換テーブル）の補正における補正強度を調整する場合を例としたが、近傍濃度の画素の含有率は考慮せず、当該色票の理論濃度である画素の含有率の推定値のみに基づいて補正強度の調整を行うようにしてもよい。
【００７７】
また、上記の説明では、本発明に係るプログラムを格納するコンピュータ読み取り可能な媒体としてＨＤＤや半導体の不揮発性メモリ等を使用した例を開示したが、プログラムを格納する媒体はこの例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)を適用することも可能である。
【００７８】
また、本実施形態では、多値化手段、濃度分布取得手段、色変換手段、テーブル補正手段、含有率取得手段、プレビュー生成手段、表示手段、位置特定情報入力手段が、すべて単体の装置であるコントローラ３に備えている場合を例としたが、例えば、表示手段、位置特定情報入力手段等が別個の装置に設けられ、コントローラとこれらの装置とからなるシステムとして構成されていてもよい。
【００７９】
その他、本実施形態における色調整装置の各構成要素の細部構成、及び細部動作に関しては、本発明の趣旨を逸脱することのない範囲で適宜変更可能であることは勿論である。
【図面の簡単な説明】
【００８０】
【図１】本実施形態における印刷システムの構成例を示す図である。
【図２】図１に示すコントローラの機能的構成及び色調整処理の流れの概略を示す説明図である。
【図３】ターゲットプロファイルの一例を示す図である。
【図４】プリンタプロファイルの一例を示す図である。
【図５】デバイスリンクプロファイルの一例を示す図である。
【図６】色票を構成する画素の一例を示す図である。
【図７】補正強度ＬＵＴの一例を示す図である。
【図８】図７に示すＬＵＴを適用して補正されたデバイスリンクプロファイルの一例を示す図である。
【図９】図９（ａ）は、Ｍ５０％の色票の一例を示した図であり、図９（ｂ）は、色変換処理後の色票の一例を示した図である。
【図１０】図２に示す制御部により実行される色調整処理を示すフローチャートである。
【図１１】補正強度と補正範囲とを組み合わせたＬＵＴの一例を示す図である。
【図１２】図１１に示すＬＵＴを適用して補正されたデバイスリンクプロファイルの一例を示す図である。
【図１３】図１３（ａ）は、Ｍ５０％の色票のＲＩＰ前の多値の画像データの一例を示した図であり、図１３（ｂ）は、図１３（ａ）に示す画像データにＲＩＰ前に色変換処理を行った場合の色票の一例を示した図である。
【図１４】図１４（ａ）は、Ｍ５０％の色票のＲＩＰ前のデスクリーニング後の画像データの一例を示した図であり、図１４（ｂ）は、図１４（ａ）に示す画像データにデスクリーニング後に色変換処理を行った場合の色票の一例を示した図である。
【符号の説明】
【００８１】
１００  印刷システム
１  画像編集装置
２  ＲＩＰ
３  コントローラ
４  プリンタ
５  ＣＴＰセッター
６  印刷機
７  測色器
３１    制御部
３２    通信部
３３    入力部
３４    表示部
３６    本体制御部
３７    画像処理制御部
３８    ＲＡＭ
３９    バス
４０    記憶部
４１    プログラム記憶部
４２    データ記憶部
４３    パラメータ記憶部
４４    プロファイル記憶部
４５    ターゲットプロファイル
４６    プリンタプロファイル
４７    デバイスリンクプロファイル
【図１】
2010074354.tif 000003
【図２】
2010074354.tif 000004
【図３】
2010074354.tif 000005
【図４】
2010074354.tif 000006
【図５】
2010074354.tif 000007
【図６】
2010074354.tif 000008
【図７】
2010074354.tif 000009
【図８】
2010074354.tif 000010
【図９】
2010074354.tif 000011
【図１０】
2010074354.tif 000012
【図１１】
2010074354.tif 000013
【図１２】
2010074354.tif 000014
【図１３】
2010074354.tif 000015
【図１４】
2010074354.tif 000016